(57)【特許請求の範囲】
【請求項１】
医療機器の筐体の少なくとも一部を覆うケース本体と、
前記ケース本体に接続する接続部を有し、前記医療機器のディスプレイと対向する方向から前記医療機器の荷重を支持する支持体と、を備え、
前記支持体は、前記ケース本体と前記接続部のみが固定された開状態と、前記ケース本体と前記接続部及び他の部分とが固定された閉状態と、を移行可能に構成され、
前記閉状態における前記支持体側の前記ケース本体との接触面と、前記閉状態における前記ケース本体側の前記支持体との接触面と、の双方が、前記開状態において前記ディスプレイを載置面に対して斜めに傾けるように前記医療機器を面支持する、
医療機器用ケース。
【請求項２】
前記閉状態における前記支持体側の前記ケース本体との接触面と、前記閉状態における前記ケース本体側の前記支持体との接触面と、にはそれぞれ固定部材が設けられている、    
ことを特徴とする請求項１に記載の医療機器用ケース。
【請求項３】
前記固定部材は、磁石である、
ことを特徴とする請求項２に記載の医療機器用ケース。
【請求項４】
前記閉状態における前記支持体側の前記ケース本体との接触面と、前記閉状態における前記ケース本体側の前記支持体との接触面と、を引き離すために把持する把持部を有する、
ことを特徴とする請求項１〜３のいずれか１項に記載の医療機器用ケース。
【請求項５】
前記把持部は、ユーザの指が入れられる切欠き形状により構成されている、
ことを特徴とする請求項  ４に記載の医療機器用ケース。
【請求項６】
前記支持体は、弾性を有するクッション部材より構成されている、
ことを特徴とする請求項１〜５のいずれか１項に記載の医療機器用ケース。
【請求項７】
前記支持体は、前記医療機器の底面が載置面と接するように載置した場合に、前記医療機器用ケースの下部に設けられている、
ことを特徴とする請求項１〜６のいずれか１項に記載の医療機器用ケース。
【請求項８】
前記医療機器の底面が載置面と接するように載置した場合に、前記支持体の上部に任意の物を収容可能な収容部が設けられている、
ことを特徴とする請求項１〜７のいずれか１項に記載の医療機器用ケース。
【発明の詳細な説明】
【技術分野】
【０００１】
本発明は医療機器用ケースに関する。
【背景技術】
【０００２】
救急車や消防車には、除細動器が搭載されることが多い。除細動器は、除細動器本体、電極パッド、各種パラメータ用のケーブル、等から構成される。これ等の構成品をまとめて運搬するために、除細動器用のキャリングケースが広く使用されている。
【０００３】
除細動器用のキャリングケースの一例として、例えば特許文献１や特許文献２の技術が挙げられる。特許文献１や２にかかるキャリングケースは、硬質の部材により構成され、内容物の簡単な取り出し及び配備を可能にする構成となっている。
【先行技術文献】
【特許文献】
【０００４】
【特許文献１】特表２０１３−５４３７５５号公報
【特許文献２】特開２０１３−５４２０３４号公報
【発明の概要】
【発明が解決しようとする課題】
【０００５】
上述のキャリングケースに入れた除細動器を使用する場合、ユーザは、（１）除細動器をキャリングケースから取り出して使用する、（２）ケース内に入れたまま直立した状態（ディスプレイが載置面に対して略直交する状態）で使用する、（３）ケース内に入れたままケースを寝かせた状態（ディスプレイが載置面に対して略平行となる状態）で使用する、といった必要があった。すなわち除細動器を路上等で使用する場合、除細動器のディスプレイが地面に対して略直交した状態（上記（２））または略平行となる状態（上記（３））で使用されていた。ディスプレイが載置面に対して略直交する状態で使用する場合、ユーザは画面を覗き込む必要があった。またディスプレイが載置面に対して略平行となる状態で使用する場合、ユーザは画面を覗き込む必要があると共に、光の入射によってディスプレイ面が見づらかった。
【０００６】
なお上述の課題は、除細動器に限った課題ではなく、バイタルサインを表示する生体情報モニタ等においても共通する課題である。すなわち当該課題は、ディスプレイを有する医療機器に共通する課題である。
【０００７】
本発明は上述した課題を解決するためになされたものであり、使用時に医療機器のディスプレイを見やすい状態にすることができる医療機器用ケースを提供することを主たる目的とする。
【課題を解決するための手段】
【０００８】
本発明にかかる医療機器用ケースの一態様は、
医療機器の筐体の少なくとも一部を覆う医療機器用ケースであって、
前記医療機器のディスプレイと対向する方向から前記医療機器の荷重を支持する支持体を備える、ものである。
【０００９】
医療機器用ケースは、医療機器のディスプレイと対向する方向から除細動器の荷重を支える支持体を備える。支持体が医療機器の荷重を支えた状態とすることにより、除細動器のディスプレイは、載置時であっても載置面に対して斜め（直立しない状態）となる。ディスプレイが載置面に対して斜めになることによって、ディスプレイがユーザから確認しやすい状態となる。
【００１０】
また本発明にかかる医療機器用ケースの一態様は、
医療機器の筐体の少なくとも一部を覆う医療機器用ケースであって、
前記医療機器のディスプレイと対向する方向から前記医療機器のディスプレイが載置面に対して斜めになるように支持する支持体を備える、ものとして捉えることもできる。
【００１１】
更に本発明にかかる医療機器用ケースの一態様は、
医療機器の筐体の少なくとも一部を覆う医療機器用ケースであって、
前記医療機器のディスプレイと対向する方向に凸となる凸部を有する、ものとして捉えることもできる。
【発明の効果】
【００１２】
本発明は、使用時に医療機器のディスプレイを見やすい状態にすることができる医療機器用ケースを提供することができる。
【図面の簡単な説明】
【００１３】
【図１】実施の形態１にかかる除細動器２００の正面図である。
【図２】実施の形態１にかかる除細動器２００を収容した医療機器用ケース１００の正面図である。
【図３】実施の形態１にかかる除細動器２００を収容した医療機器用ケース１００の側面図である。
【図４】実施の形態１にかかる除細動器２００を収容した医療機器用ケース１００の側面図である。
【図５】実施の形態１にかかる除細動器２００を収容した医療機器用ケース１００の背面図である。
【図６】実施の形態１にかかる除細動器２００を収容した医療機器用ケース１００の底面図である。
【図７】実施の形態１にかかる除細動器２００を収容した医療機器用ケース１００の上面図である。
【図８】実施の形態１にかかる除細動器２００の使用時に支持体１２０を開状態にするための操作を示す概念図である。
【図９】実施の形態１にかかる除細動器２００を収容した医療機器用ケース１００の側面図である。
【図１０】実施の形態１にかかる除細動器２００を収容した医療機器用ケース１００の背面図である。
【図１１】実施の形態１にかかる医療機器用ケース１００の使用状態を示す概念図である。
【図１２】実施の形態１にかかる除細動器２００の使用後の支持体１２０の動きを示す概念図である。
【図１３】変形例にかかる医療機器用ケース１００の右側面図である。
【図１４】変形例にかかる医療機器用ケース１００の右側面図である。
【図１５】変形例にかかる医療機器用ケース１００の背面図である。
【図１６】変形例にかかる医療機器用ケース１００の背面図である。
【図１７】変形例にかかる医療機器用ケース１００の左側面図である。
【発明を実施するための形態】
【００１４】
＜実施の形態１＞
以下、図面を参照して本発明の実施の形態について説明する。本実施の形態にかかる医療機器用ケース１００（図２等を参照して後述）は、除細動器や生体情報モニタなどの様々な医療機器に使用される収容ケースである。以下の説明では医療機器用ケース１００が除細動器２００のケースとして使用される例について説明する。
【００１５】
はじめに図１を参照して本実施の形態にかかる医療機器用ケース１００が収容する除細動器２００の概略構成について説明する。図１は、除細動器２００を正面から見た場合の外観を示す正面図である。除細動器２００は、ディスプレイ２１０、インジケータ２２０、入力インターフェイス（例えばボタン）２３０、ハンドル（持ち手）２４０、及びスピーカ２５０を筐体上に有する。なお除細動器２００は、内部に各種回路、ＣＰＵ（Central Processing Unit）、一次記憶装置、二次記憶装置等を適宜備える。
【００１６】
図示するように除細動器２００の正面にはディスプレイ２１０が設けられ、除細動器２００の使用時に各種の設定画面、生体波形情報（例えば心電図波形）、測定値情報（例えば脈拍数やＳｐＯ２の測定値）等が表示される。なお、図示するように除細動器２００のディスプレイ２１０を正面に載置した際の左右方向をＸ軸方向、上下方向をＹ軸方向、奥行き方向（図示せず）をＺ軸方向とする。
【００１７】
続いて図２〜図７を参照して医療機器用ケース１００が除細動器２００に収容された際の形状を説明する。図２〜図７では、除細動器２００の底面が載置面に載置されるようにした場合の形状を示す。図２は、除細動器２００を収容した医療機器用ケース１００の正面図である。
【００１８】
図２の例では医療機器用ケース１００は、除細動器２００のディスプレイ２１０やハンドル２４０を除く筐体全面を覆う形状となっている。なお医療機器用ケース１００は、除細動器２００の筐体の一部を覆う形状であればこの他の形状であってもよい。医療機器用ケース１００は、除細動器２００及び関連するケーブルやパッド等を収容するケースである。収容部１１０は、各種センサのケーブル等を収容する。なお医療機器用ケース１００の素材は、柔軟性と筐体の保護性を兼ね備えたプラスティック等の素材であればどのようなものであってもよい。
【００１９】
図３は、除細動器２００を収容した医療機器用ケース１００の側面図（＋Ｘ方向から医療機器用ケース１００を見た場合の図）である。なお以下の図中において、点線で囲んで符号を付した箇所は、図示はされていないものの当該位置に各部材があることを意味する。例えば図３では、ディスプレイ２１０が点線で囲んだ箇所に存在する（図２参照）。なお図３の例では、ディスプレイ２１０が載置面に対して略直交する形態を記載したが、ディスプレイ２１０と載置面のなす角度は７０度〜９０度の間であってもよい。すなわちディスプレイ２１０は、除細動器２００が直立した状態であってもやや斜めになっている状態であってもよい。
【００２０】
収容部１３０は、＋Ｚ方向側に設けられ、各種のケーブルやセンサ等を収容する。また医療機器用ケース１００は、ディスプレイ２１０と対向する側面（すなわち＋Ｚ方向側）の下部（−Ｙ方向側）に支持体１２０を有する。支持体１２０は、医療機器用ケース１００の一部を構成する。支持体１２０は、図９〜図１１を参照して後述するように一部がケース本体に接続され、その他の部分がケース本体から着脱可能に構成される。支持体１２０は、除細動器２００の使用時に一部がケース本体から取り外された状態となることにより、除細動器２００を支持する。支持体１２０による筐体支持の詳細については、図９〜図１１を参照して後述する。
【００２１】
図４は、除細動器２００を収容した医療機器用ケース１００の側面図（−Ｘ方向から医療機器用ケース１００を見た場合の図）である。医療機器用ケース１００の側面には除細動器２００のバッテリを収容する収容部１４０が設けられている。また図３と同様にディスプレイ２１０と対向する側面（すなわち＋Ｚ方向側）の下部（−Ｙ方向側、換言すると重力方向側）に支持体１２０が設けられている。図３や図４に示すように支持体１２０がケース本体に固定されている場合（支持体１２０の全体がケース本体と接続している場合、換言すると支持体１２０の接触面（着脱面）がケース本体に固定されている（接触している）場合）には、医療機器用ケース１００のディスプレイ２１０との対向面は略平面形状となる。ここで「ディスプレイ２１０との対向面が略平面形状」とは、除細動器２００の底面を載置面に接するように載置した場合、ゴム足等の突起等が若干あるものの壁等に引っかかるような凸部分が無い状態（かさばることが無い状態）を意味する。
【００２２】
図５は、除細動器２００を収容した医療機器用ケース１００の背面図（＋Ｚ方向から医療機器用ケース１００を見た場合の図）である。支持体１２０は、図３及び図４に示したように医療機器用ケース１００の下部（−Ｙ方向側）に設けられている。なお符号は付さないものの医療機器用ケース１００の背面や底面には載置時の衝撃を吸収するゴム足が適宜設けられている。
【００２３】
支持体１２０は、医療機器用ケース１００のケース本体と支持体１２０を接続するための接続部１２１を有する。接続部１２１は、例えばケース本体に接続されている（好適には縫い付けられている）と共に、支持体１２０の一部に接続されている（好適には縫い付けられている）。接続部１２１は、支持体１２０の一部を取り外す際の支点となる。支持体１２０の着脱については図９〜図１２を参照して後述する。
【００２４】
また支持体１２０の下部（−Ｙ方向側）にはユーザの指（又は掌）が挿入される空間である切欠き部１２２が構成されている。ユーザは、除細動器２００の使用時にこの切欠き部１２２に対して指や手を挿入して斜め上方向（＋Ｚ方向（図５における手前方向）かつ＋Ｙ方向）に支持体１２０を引っ張る。これにより支持体１２０の接続部１２１のみがケース本体に接続された状態となり、この他の部分がケース本体から取り外された状態となる。着脱形態については図９〜図１２を参照して改めて説明する。
【００２５】
図６は、除細動器２００を収容した医療機器用ケース１００の底面図（−Ｙ方向（換言すると載置面方向）から医療機器用ケース１００を見た場合の図）である。上述したように支持体１２０が載置面側に設けられている。また支持体１２０には、ユーザが指や掌を入れるための空間（空洞）である切欠き部１２２が設けられている。
【００２６】
図７は、除細動器２００を収容した医療機器用ケース１００の上面図（＋Ｙ方向から医療機器用ケース１００を見た場合の図）である。図２等でも示したように、ハンドル２４０が医療機器用ケース１００から露出する状態となっている。また医療機器用ケース１００には、上部（＋Ｙ方向）から各種のケーブル等を入れるための収容部１５０が設けられている。
【００２７】
以上、六面図（図２〜図７）を参照して医療機器用ケース１００の基本構成を説明した。続いて除細動器２００の使用時の医療機器用ケース１００の形態について説明する。除細動器２００の非使用時（例えば消防車等に載置されている場合）には、支持体１２０が医療機器用ケース１００のケース本体に密着した状態で載置されることを想定している（図３、図４）。
【００２８】
図８は、除細動器２００の使用時に支持体１２０を開状態にするための操作を示す概念図である。図８は、医療機器用ケース１００を背面から見た際の操作を示す。図示するように、ユーザ（例えば救命士）は、切欠き部１２２に対して手Ｈの指を挿入している。すなわちユーザは、支持体１２０を把持する（つまむ、握る、持つ、指をひっかける）ために切欠き部１２２に対して手Ｈを挿入している。そしてユーザは、＋Ｚ方向（図８における手前方向）かつ＋Ｙ方向に手Ｈを引き上げるようにして支持体１２０を持ち上げる。この持ち上げ処理により、支持体１２０は、接続部１２１がケース本体に接続されたまま他の部分が取り外された状態となる。
【００２９】
図９は、支持体１２０の一部を医療機器用ケース１００のケース本体から取り外した状態を示す側面図（＋Ｘ方向から医療機器用ケース１００を見た場合の図）である。図示するように支持体１２０がディスプレイ２１０と対向する方向（＋Ｚ方向）に凸となる凸部を形成する。すなわち側面側（＋Ｘ方向または−Ｘ方向）から見た際に、略三角形の支持体１２０がディスプレイ２１０との平行面から＋Ｚ方向に飛び出た状態となる。また支持体１２０の接触面１２３とケース本体の接触面１２４が略平面形状（図９における直線的な形状）を形成する。
【００３０】
続いて支持体１２０の一部が取り外された状態を背面から見た形状を図１０に示す。図示するように支持体１２０は接続部１２１を介してケース本体に接続され、それ以外の部分（接続部１２１以外の部分）が上部（＋Ｙ方向）にめくれ上がるようにしてケース本体から分離される。図９に示したように、医療機器用ケース１００のケース本体側の接触面１２４と、支持体１２０側の接触面１２３と、が構成される。
【００３１】
接触面１２３には、固定部材１２５及び固定部材１２７が設けられることが好ましい。同様に接触面１２４には、固定部材１２６及び固定部材１２８が設けられることが好ましい。固定部材１２５と固定部材１２６は対応位置（すなわち接触面１２３と接触面１２４が接触している場合に対向する位置）に設けられる。同様に固定部材１２７と固定部材１２８は対応位置（すなわち接触面１２３と接触面１２４が接触している場合に対向する位置）に設けられる。
【００３２】
固定部材１２５〜１２８は、支持体１２０を医療機器用ケース１００のケース本体に強固に固定するための部材であり、例えば磁石により構成される。固定部材１２５及び固定部材１２６が互いの磁力により引き合うことにより、縦置き時（図２〜図７のように底面が載置面に接するように載置した場合）に支持体１２０がケース本体に強固に固定される。同様に固定部材１２７及び固定部材１２８が互いの磁力により引き合うことにより、縦置き時に支持体１２０がケース本体に強固に固定される。なお図１０の例では、２組の固定部材があるものとして説明したが、少なくとも１組の固定部材が接触面に設けられている構成であればよい。
【００３３】
なお固定部材１２５〜１２８は、支持体１２０を医療機器用ケース１００のケース本体に強固に固定するための部材であれば磁石以外の構成であってもよく、例えば面ファスナー等であってもよい。
【００３４】
続いて図１１を参照して、除細動器２００を使用する際の使用形態について説明する。ユーザは、除細動器２００の使用前に支持体１２０を持ち上げた（図９の状態）状態とし、この状態のまま接触面１２３と接触面１２４が載置面ｇに接するように載置する（図１１）。ここで載置面ｇとは、主に地面等を意味し、救急活動を行う際に除細動器２００を置く平面である。
【００３５】
接触面１２３及び接触面１２４が載置面ｇと接するように載置することにより、支持体１２０が除細動器２００の荷重を支える。支持体１２０が除細動器２００の荷重を支えることにより、ディスプレイ２１０が載置面ｇに対して斜めになる。換言すると支持体１２０は、ディスプレイ２１０が載置面ｇに対して斜めになるように除細動器２００の荷重を支持する。
【００３６】
ここで支持体１２０が除細動器２００の荷重を支えるため、支持体１２０は荷重によって形状が変形しない程度の剛性を有することが好ましい。また医療機器用ケース１００のケース本体や除細動器２００の筐体を傷つけないために、支持体１２０はクッション性も兼ね備えたクッション部材（弾性を有する部材）であることが好ましい。そのため支持体１２０は、例えば剛性を有するプラスティック等によって構成することが望ましい。
【００３７】
ディスプレイ２１０が載置面ｇに対して斜めとなることにより、ユーザ（主に除細動器２００を使用する救命活動者）はディスプレイ２１０に表示された各種情報を容易に参照することができる。
【００３８】
図１２は、除細動器２００の使用後の支持体１２０の動きを示す概念図である。使用者は、ハンドル２４０を把持して除細動器２００の底面が載置面ｇと接するような状態（図１２に示す状態）にする。
【００３９】
この状態において支持体１２０には、載置面ｇ方向の重力がかかる。そのため、接続部１２１を支点として支持体１２０が方向ｄに向かって移動する。ここで固定部材１２５〜１２８が磁石である場合、固定部材１２５と固定部材１２６が互いに引き合い、固定部材１２７と固定部材１２８が互いに引き合う。これにより接触面１２３と接触面１２４が引き合う状態となり、接触面１２３と接触面１２４を強固に固定することができる。
【００４０】
なお固定部材１２５〜１２８を面ファスナーによって構成した場合であっても、支持体１２０は図１２の状態において重力の影響により方向ｄに向かって移動する。また接触面１２３と接触面１２４が重力の影響により接触した場合、面ファスナーから構成された各固定部材１２５〜１２８が互いを固定する。
【００４１】
このように除細動器２００を縦置きにした場合（底面が載置面ｇに接するように載置した場合）、ユーザが支持体１２０を操作しない状態（手によって力を加えない）であっても、支持体１２０は自動的にケース本体に固定される。すなわちユーザは、除細動器２００の使用後にはハンドル２４０を少し持ち上げるだけで支持体１２０をケース本体に固定することができる。
【００４２】
以上が医療機器用ケース１００の構成であるが、医療機器用ケース１００は種々の変形をすることができる。
【００４３】
例えば以下のような変形が考えられる。上述の説明ではケース本体から着脱可能な支持体１２０がディスプレイ２１０を斜めにするために支持するものとして説明したが必ずしもこれに限られない。図１３は、支持体１２０の変形例を示す側面図（−Ｘ方向から医療機器用ケース１００を見た場合の図）である。
【００４４】
図１３の形態では、除細動器２００の縦置き時（底面が載置面ｇに接するように載置した場合）に支持体１２０が＋Ｚ方向（ディスプレイ２１０と対向する方向）に凸となっている（換言すると支持体１２０が凸部を形成する）。この形態であっても除細動器２００の使用時には、支持体１２０が除細動器２００の荷重を支えることによりディスプレイ２１０が載置面に対して斜めになる。これによりユーザは、除細動器２００の使用時に容易にディスプレイ２１０の表示を参照することができる。なお当該構成であっても支持体１２０は剛性とクッション性を兼ね備えていることが好ましい。
【００４５】
また上述の切欠き部１２２は、支持体１２０を開状態にする（支持体１２０の一部を図９に示すようにケース本体から引き離す）ためにユーザが把持する把持部の一態様であり、この他の構成とすることもできる。この変形例（把持部の変形例）について図１４と図１５を参照して説明する。
【００４６】
図１４は、切欠き部１２２に代わり引き出し部材１２９を有する変形例を示す側面図（−Ｘ方向から医療機器用ケース１００を見た場合の図）である。引き出し部材１２９は、支持体１２０に一部が固定された（例えば一部が縫い付けられた）部材である。引き出し部材１２９は、例えばユーザの引っ張りに耐えられる程度の強度を持つ布により構成されれば良い。
【００４７】
ユーザは、引き出し部材１２９を把持し（強くつまむ等して持ち）、斜め上方向（＋Ｚ方向かつ＋Ｙ方向）に引っ張る。これにより支持体１２０は、接続部１２１を支点としてケース本体から離れた状態となる。すなわち支持体１２０は、図９に示すような状態となる。ユーザは、支持体１２０がケース本体から離れた状態となった後に接触面１２３及び接触面１２４が載置面に接触するように載置する（つまり図１１に示すような状態で除細動器２００を載置する）。
【００４８】
図１５は、引き出し部材１２９を有する構成の背面図である。図示するように支持体１２０に対して引き出し部材１２９の一部が固定されている（好適には縫い付けられている）。なお引き出し部材１２９は、図１５に示すようにＸ軸方向において支持体１２０の略中央部分に設けられていることが好ましい。引き出し部材１２９が略中央部分に設けられていることにより、小さな力でも支持体１２０を確実に引き上げることができる。
【００４９】
図１４及び図１５に示すように、支持体１２０をケース本体から離すための構成として引き出し部材１２９を設けた場合であっても、ユーザは容易に支持体１２０を持ち上げることができる。なお引き出し部材１２９の更なる変形例として、布等の柔軟性を持つ素材ではなく、剛性のフック等とする構成も可能である。
【００５０】
更に支持体１２０がディスプレイ２１０を支持する角度が可変となるように構成されていてもよい。当該構成について図１６及び図１７を参照して説明する。図１６は、当該変形例にかかる医療機器用ケース１００の背面図（＋Ｚ方向から医療機器用ケース１００を見た場合の図）である。
【００５１】
当該変形例（図１６）では、接続部１２１のバリエーション（一態様）として角度調節機構１６０を有する。角度調節機構１６０とは例えばトルクヒンジ（蝶番）であり、支持体１２０が医療機器用ケース１００の本体に接続される角度（接続角度）を調節するものである。すなわちユーザは、切欠き部１２２を把持して引き上げる際に力の入れ具合を調節することにより支持体１２０がケース本体に固定される角度を調節する。換言すると角度調節機構１６０は、ケース本体に対する支持体１２０の接続角度を保持する。
【００５２】
角度調節機構１６０をトルクヒンジにより実装する場合、当該トルクヒンジは角度が任意に調節できるフリーストップ仕様のものであってもよく、調節可能な角度が数個に限定されているタイプのヒンジであっても構わない。なお角度調節機構１６０は、支持体１２０とケース本体を固定し、かつ支持体１２０の接続角度を調節できるものであればトルクヒンジ以外のものであっても構わない。
【００５３】
図１７は、角度調節機構１６０を有する場合の使用態様を示す側面図（＋Ｘ方向から医療機器用ケース１００を見た場合の図）である。なお図１７において支持体１２０は説明の明確化のため点線で示しており、角度調節機構１６０を概念的に黒丸で示している。支持体１２０は、角度調節機構１６０を支点として任意の角度に固定される。図１７では、支持体１２０−１〜１２０−３の各角度に固定可能である。ユーザは、切欠き部１２２を把持して支持体１２０の角度を調節することにより、載置時のディスプレイ２１０の角度を任意に変えることができる。
【００５４】
角度調節機構１６０を有する構成（図１６、図１７）により、ユーザは載置時のディスプレイ２１０の角度を任意に変更することができる。これによりユーザ個々の好みや使用環境に応じて、適切に載置時のディスプレイ２１０の角度を設定することができる。
【００５５】
続いて本実施の形態にかかる医療機器用ケース１００の効果について説明する。上述したように医療機器用ケース１００は、除細動器２００のディスプレイ２１０と対向する方向（上述の＋Ｚ方向）から除細動器２００の荷重を支える支持体１２０を備える。支持体１２０が除細動器２００の荷重を支えた状態とすることにより、除細動器２００のディスプレイ２１０は載置時であっても載置面に対して斜め（垂直とならない状態）となる。ディスプレイ２１０が載置面に対して斜めになることにより、ディスプレイ２１０に表示された各種情報がユーザから確認しやすい状態となる。またディスプレイ２１０が載置面に対して斜めになることにより太陽光等の光の入射が制限される。これによりディスプレイ２１０の反射光によるディスプレイ２１０の見にくさを軽減することができる。
【００５６】
また支持体１２０は、縦置き時（底面が載置面に接するように載置した場合）にはケース本体と密着した状態となる（図３、図４等）。これにより、医療機器用ケース１００の奥行（Ｚ軸方向）が大きくならない。そのため、縦置き時には幅を取ることなく、医療機器用ケース１００及び除細動器２００をコンパクトな状態で救急車や保管場所に保管をすることができる。
【００５７】
また支持体１２０がケース本体と密着した状態では、ディスプレイ２１０との対向面が略平面形状となる（図３、図４）。これにより、縦置き時にはコンパクトな形状（幅を取らない形状）となる。
【００５８】
さらに支持体１２０の接触面１２３と、医療機器用ケース１００のケース本体の接触面１２４と、にはそれぞれ固定部材１２５〜１２８が設けられている。これにより除細動器２００の縦置き時に支持体１２０をケース本体に確実に固定することができる（図３、図４、図１０、図１２）。また固定部材１２５〜１２８を磁石によって構成することにより、磁力による強固な固定を実現することができる。
【００５９】
またユーザが支持体１２０を引き上げる際に把持する把持部が設けられている。ここで把持部とは、例えば支持体１２０の内部がくりぬかれたように構成された切欠き部１２２（図５、図６、図８）や引き出し部材１２９（図１４、図１５）を含む概念である。ユーザは、この切欠き部１２２又は引き出し部材１２９を把持して持ち上げることにより、簡単に支持体１２０を開状態（図１０、図１１）にすることができる。
【００６０】
更に支持体１２０の接触面１２３とケース本体の接触面１２４は、略平面形状に構成されている（図１２）。換言すると図１２において接触面１２３と接触面１２４は略直線を形成する。これにより除細動器２００の使用時に、載置面ｇと接触する面積が大きくなる（図１１）。載置面ｇと接触する面積が大きくなることにより、除細動器２００の使用時（図１１）にも安定した載置を実現することができる。  
【００６１】
以上、本発明者によってなされた発明を実施の形態に基づき具体的に説明したが、本発明は既に述べた実施の形態に限定されるものではなく、その要旨を逸脱しない範囲において種々の変更が可能であることはいうまでもない。
【００６２】
上述したように医療機器用ケース１００は、除細動器２００のみならずディスプレイを有する様々な医療機器（例えば搬送用の生体情報モニタ）に応用可能なものであり、その用途や発明の範囲を限定解釈してはならない。
【符号の説明】
【００６３】
１００  医療機器用ケース
１１０、１３０、１４０、１５０  収容部
１２０  支持体
１２１  接続部
１２２  切欠き部
１２３、１２４  接触面
１２５〜１２８  固定部材
１２９  引き出し部材
１６０  角度調節機構
２００  除細動器（医療機器）
２１０  ディスプレイ
２２０  インジケータ
２３０  入力インターフェイス
２４０  ハンドル（持ち手）
２５０  スピーカ
【図１】
0006548457.tif 000002
【図２】
0006548457.tif 000003
【図３】
0006548457.tif 000004
【図４】
0006548457.tif 000005
【図５】
0006548457.tif 000006
【図６】
0006548457.tif 000007
【図７】
0006548457.tif 000008
【図８】
0006548457.tif 000009
【図９】
0006548457.tif 000010
【図１０】
0006548457.tif 000011
【図１１】
0006548457.tif 000012
【図１２】
0006548457.tif 000013
【図１３】
0006548457.tif 000014
【図１４】
0006548457.tif 000015
【図１５】
0006548457.tif 000016
【図１６】
0006548457.tif 000017
【図１７】
0006548457.tif 000018